(57)【要約】【課題】映像の明るさとクロストークのバランスを調整できる技術を提供する。【解決手段】３Ｄメガネ２０は、３Ｄ画像を構成する左目用画像と右目用画像とを駆動によって透過させるシャッター部２４０と、シャッター部２４０の駆動タイミングを制御する同期信号を受信する同期信号受信部２２２と、シャッター部２４０の駆動タイミングを調整するための調整情報の入力を受け付ける調整情報受付部２８０と、同期信号受信部２２２によって受信された同期信号と、調整情報受付部２８０によって受け付けられた調整情報とに従って、シャッター部２４０を駆動させるシャッター駆動部２３０とを備える。【選択図】図１
2013214918.tif 000002
【特許請求の範囲】
【請求項１】
立体画像を構成する左目用画像と右目用画像とを駆動によって透過させるシャッター部と、
前記シャッター部の駆動タイミングを制御する同期信号を受信する同期信号受信部と、
前記シャッター部の駆動タイミングを調整するための調整情報の入力を受け付ける調整情報受付部と、
前記同期信号受信部によって受信された前記同期信号と、前記調整情報受付部によって受け付けられた前記調整情報とに従って、前記シャッター部を駆動させるシャッター駆動部と
を備えることを特徴とするシャッター装置。
【請求項２】
前記シャッター駆動部は、
前記同期信号受信部によって受信された前記同期信号に基づく前記駆動タイミングを前記調整情報に基づいて補正した補正後の前記駆動タイミングに従って、前記シャッター部を駆動させる
ことを特徴とする請求項１に記載のシャッター装置。
【請求項３】
前記シャッター駆動部は、
前記同期信号受信部によって受信された前記同期信号に基づく前記駆動タイミングによる左目用画像及び右目用画像の透過時間の中心時刻を変化させずに、前記同期信号に基づく前記駆動タイミングを補正する
ことを特徴とする請求項２に記載のシャッター装置。
【請求項４】
前記調整情報を送信する調整情報送信部
を更に備えることを特徴とする請求項１乃至請求項３の何れか１項に記載のシャッター装置。
【請求項５】
左目用画像及び右目用画像を含む立体画像を表示する画像表示装置と、前記立体画像を視るために用いられるシャッター装置とを備える画像表示システムにおいて、
前記シャッター装置は、
前記立体画像を構成する左目用画像と右目用画像とを駆動によって透過させるシャッター部と、
前記シャッター部の駆動タイミングを制御する同期信号を受信する同期信号受信部と、
前記シャッター部の駆動タイミングを調整するための調整情報の入力を受け付ける調整情報受付部と、
前記同期信号受信部によって受信された前記同期信号と、前記調整情報受付部によって受け付けられた前記調整情報とに従って、前記シャッター部を駆動させるシャッター駆動部と、
前記調整情報を送信する調整情報送信部と
を有し、
前記画像表示装置は、
前記立体画像を表示する画像表示部と、
前記シャッター装置に送信する前記同期信号を生成する同期信号生成部と、
前記シャッター装置から送信された前記調整情報を取得する調整情報受信部と、
前記立体画像の表示タイミングと調整情報受信部によって受信された前記調整情報とに従って、前記画像表示部の光源を制御する光源制御部と
を有することを特徴とする画像表示システム。
【請求項６】
前記調整情報受信部は、
複数の前記シャッター装置の夫々の前記調整情報を受信し、
前記光源制御部は、
前記表示タイミングと、夫々の前記調整情報のうち左目用画像及び右目用画像の透過時間を最大に調整する前記調整情報とに従って、前記光源を制御する
ことを特徴とする請求項５に記載の画像表示システム。
【請求項７】
立体画像を構成する左目用画像と右目用画像とを駆動によって透過させるシャッター部を備えるシャッター装置におけるタイミング調整方法であって、
前記シャッター装置の同期信号受信部が、前記シャッター部の駆動タイミングを制御する同期信号を受信し、
前記シャッター装置の調整情報受付部が、前記シャッター部の駆動タイミングを調整するための調整情報の入力を受け付け、
前記シャッター装置のシャッター駆動部が、前記同期信号受信部によって受信された前記同期信号と前記調整情報とに従って、前記シャッター部を駆動させる
ことを特徴とするシャッター装置におけるタイミング調整方法。
【発明の詳細な説明】
【技術分野】
【０００１】
本発明は、シャッター装置、画像表示システム、及び、タイミング調整方法に関するものである。
【背景技術】
【０００２】
従来、左目用画像及び右目用画像から構成される３Ｄ画像を出力する画像出力装置と、当該画像出力装置から出力された３Ｄ画像を視るために用いられる３Ｄメガネとを備えるシステムが知られている（例えば、特許文献１参照）。上記システムにおいて、３Ｄメガネは、左目用画像と右目用画像とを交互に透過させる（左目と右目に交互に光を透過、遮断させる）ように駆動する左右のシャッターを備え、外部から受信した同期信号に基づいてシャッター駆動信号を生成し、シャッター駆動信号による駆動タイミングでシャッターを駆動させている。
【先行技術文献】
【特許文献】
【０００３】
【特許文献１】特開２０１０−６１１０５号公報
【発明の概要】
【発明が解決しようとする課題】
【０００４】
しかしながら、３Ｄメガネが受信する同期信号は、３Ｄ画像の表示タイミングに基づき３Ｄメガネのシャッターが所定の駆動タイミングで駆動するように予め規定されたものである。つまり、３Ｄメガネのシャッターの駆動タイミングは一定である。従って、以下のような問題が生じる。
１．既定の駆動タイミングによるシャッター開口時間が、あるユーザーにとって長い場合、そのユーザーは、映像が暗いと感じ難いが、左目用画像と右目用画像とが重なって見え易い。即ち、不快感を生むクロストークを感じ易い。
２．既定の駆動タイミングによるシャッター開口時間が、あるユーザーにとって短い場合、そのユーザーは、不快感を生むクロストークを感じ難いが、映像が暗いと感じ易い。
クロストークの感度は個人差がある。そのため、クロストークを感じ難いユーザーであれば、映像を明るくするためにシャッター開口時間を長くしてもクロストークを感じない場合がある。また例えば、クロストークを感じ易いユーザーであれば、映像を暗くしてでも、シャッター開口時間を短くしてクロストークを低減させたい場合がある。ところが、上述の如く、３Ｄメガネのシャッターの駆動タイミングは一定であるため、映像の明るさとクロストークのバランスを調整できないという問題がある。
【０００５】
本発明はこのような事情に鑑みてなされたものであって、映像の明るさとクロストークのバランスを調整できる技術を提供する。
【課題を解決するための手段】
【０００６】
上記問題を解決するために、本発明の一態様であるシャッター装置は、立体画像を構成する左目用画像と右目用画像とを駆動によって透過させるシャッター部と、前記シャッター部の駆動タイミングを制御する同期信号を受信する同期信号受信部と、前記シャッター部の駆動タイミングを調整するための調整情報の入力を受け付ける調整情報受付部と、前記同期信号受信部によって受信された前記同期信号と、前記調整情報受付部によって受け付けられた前記調整情報とに従って、前記シャッター部を駆動させるシャッター駆動部とを備えることを特徴とする。
上記構成によれば、上記シャッター装置は調整情報に応じてシャッター部を駆動させるため、シャッター装置のユーザーは、調整情報を入力し、自身の感覚に応じたクロストークと明るさのバランスを調整することできる。
【０００７】
上記シャッター装置において、前記シャッター駆動部は、前記同期信号受信部によって受信された前記同期信号に基づく前記駆動タイミングを前記調整情報に基づいて補正した補正後の前記駆動タイミングに従って、前記シャッター部を駆動させるようにしてもよい。
上記構成によれば、既定の駆動タイミングを補正して所望の駆動タイミングを得ることができる。
【０００８】
上記シャッター装置において、前記同期信号受信部によって受信された前記同期信号に基づく前記駆動タイミングによる左目用画像及び右目用画像の透過時間の中心時刻を変化させずに、前記同期信号に基づく前記駆動タイミングを補正するようにしてもよい。
上記構成によれば、左目用画像と右目用画像との切り替わりが見えないようにしつつ、シャッター開口時間を最大限に長くする調整することができる。
【０００９】
上記シャッター装置において、前記調整情報を送信する調整情報送信部を更に備えるようにしてもよい。
上記構成によれば、画像表示装置において調整情報に応じた光源制御を実現すれば、シャッターの駆動タイミングの補正に応じて光源を制御することができる。
【００１０】
上記問題を解決するために、本発明の他の態様である画像表示システムは、左目用画像及び右目用画像を含む立体画像を表示する画像表示装置と、前記立体画像を視るために用いられるシャッター装置とを備える画像表示システムにおいて、前記シャッター装置は、前記立体画像を構成する左目用画像と右目用画像とを駆動によって透過させるシャッター部と、前記シャッター部の駆動タイミングを制御する同期信号を受信する同期信号受信部と、前記シャッター部の駆動タイミングを調整するための調整情報の入力を受け付ける調整情報受付部と、前記同期信号受信部によって受信された前記同期信号と、前記調整情報受付部によって受け付けられた前記調整情報とに従って、前記シャッター部を駆動させるシャッター駆動部と、前記調整情報を送信する調整情報送信部とを有し、前記画像表示装置は、前記立体画像を表示する画像表示部と、前記シャッター装置に送信する前記同期信号を生成する同期信号生成部と、前記シャッター装置から送信された前記調整情報を取得する調整情報受信部と、前記立体画像の表示タイミングと調整情報受信部によって受信された前記調整情報とに従って、前記画像表示部の光源を制御する光源制御部とを有することを特徴とする。
上記構成によれば、シャッターの駆動タイミングの補正に応じて光源を制御することができる。
【００１１】
上記画像表示システムにおいて、前記調整情報受信部は、複数の前記シャッター装置の夫々の前記調整情報を受信し、前記光源制御部は、前記表示タイミングと、夫々の前記調整情報のうち左目用画像及び右目用画像の透過時間を最大に調整する前記調整情報とに従って、前記光源を制御するようにしてもよい。
上記構成によれば、何れのユーザーの視聴に対しても、必要な光を確保するように光源を制御することができる。
【００１２】
上記問題を解決するために、本発明の他の態様であるタイミング調整方法は、立体画像を構成する左目用画像と右目用画像とを駆動によって透過させるシャッター部を備えるシャッター装置におけるタイミング調整方法であって、前記シャッター装置の同期信号受信部が、前記シャッター部の駆動タイミングを制御する同期信号を受信し、前記シャッター装置の調整情報受付部が、前記シャッター部の駆動タイミングを調整するための調整情報の入力を受け付け、前記シャッター装置のシャッター駆動部が、前記同期信号受信部によって受信された前記同期信号と前記調整情報とに従って、前記シャッター部を駆動させることを特徴とする。
上記構成によれば、上述の効果を得ることができる。
【図面の簡単な説明】
【００１３】
【図１】本発明の第１の実施形態による、シャッター装置を含む画像表示システムの機能ブロック図の一例である。
【図２】本発明の第１の実施形態による調整情報に関する画面例である。
【図３】本発明の第１の実施形態による調整情報の記憶例である。
【図４】本発明の第１の実施形態における、調整情報とシャッター駆動信号との関係を説明する説明図である。
【図５】本発明の第１の実施形態における、調整情報とシャッター駆動信号との関係を説明する説明図である。
【図６】本発明の第１の実施形態における、調整情報とシャッター駆動信号との関係を説明する説明図である。
【図７】本発明の第１の実施形態によるシャッター装置の動作の一例を示すフローチャートである。
【図８】本発明の第２の実施形態による、シャッター装置を含む画像表示システムの機能ブロック図の一例である。
【図９】本発明の第２の実施形態による光源の制御例である。
【発明を実施するための形態】
【００１４】
（第１の実施形態）
以下、本発明の第１の実施形態について図面を参照して詳細に説明する。図１は、本発明の第１の実施形態による、シャッター装置を含む画像表示システム１の機能ブロック図の一例である。
【００１５】
画像表示システム１は、図１に示すように、左目用画像及び右目用画像を含む３Ｄ画像（立体画像）を表示する画像表示装置１０と、３Ｄ画像を視るために用いられる３Ｄ画像観賞用メガネ（シャッター装置。以下、「３Ｄメガネ」という）２０とを備える。画像表示装置１０は、例えば、３Ｄテレビ、プロジェクターなどが該当する。なお、図１において１つの３Ｄメガネ２０を示したが、画像表示システム１は複数の３Ｄメガネ２０を備えていてもよい。
【００１６】
（画像表示装置１０）
画像表示装置１０は、制御部（ＣＰＵ）１００、画像表示部１１０及び通信部１２０を備える。制御部１００は、画像制御部１０２、光源制御部１０４、タイミング制御部１０６及び同期信号生成部１０８を有する。画像表示部１１０は、液晶パネル１１２及び光源１１４を有する。通信部１２０は、同期信号送信部１２２を有する。
【００１７】
画像制御部１０２は、外部又は内部から３Ｄ画像を取得（受信）する。例えば、画像制御部１０２は、外部装置（例えば、パーソナルコンピューター、サーバー）から３Ｄ画像を取得する。また、例えば、画像表示装置１０がアンテナ部（非図示）を備える場合、画像制御部１０２は、アンテナ部を介して、放送局（放送波）から３Ｄ画像を受信する。また、例えば、画像表示装置１０が画像記憶部（非図示）を内蔵する場合、画像制御部１０２は、画像記憶部から３Ｄ画像を取得する。画像制御部１０２は、取得した３Ｄ画像を一時記憶する。
【００１８】
また、画像制御部１０２は、表示タイミング（表示タイミング信号）を取得する。画像制御部１０２は、外部（例えば、パーソナルコンピューター、サーバー、放送局）から３Ｄ画像を取得する態様の場合、タイミング制御部１０６から表示タイミングを取得する。また、画像制御部１０２は、内部（例えば、内蔵する画像記憶部）から３Ｄ画像を取得する態様の場合、内部（例えば、タイミング記憶部（非図示））から表示タイミングを取得してもよい。
【００１９】
画像制御部１０２は、表示タイミングを取得した場合、取得した表示タイミングにて、一時記憶している３Ｄ画像を液晶パネル１１２に出力する。即ち、画像制御部１０２は、一時記憶している３Ｄ画像に対し必要な処理（スケーリング、キーストーン、フレームレート変換等）を実行し、取得した表示タイミングで液晶パネル１１２を駆動して３Ｄ画像を表示する。
【００２０】
また、画像制御部１０２は、タイミング制御部１０６から表示タイミングを取得した場合、タイミング制御部１０６から取得した表示タイミングを光源制御部１０４に出力する。また、画像制御部１０２は、タイミング記憶部から表示タイミングを取得した場合、タイミング記憶部から取得した表示タイミングを光源制御部１０４及びタイミング制御部１０６に出力する。
【００２１】
光源制御部１０４は、画像制御部１０２から表示タイミングを取得する。光源制御部１０４は、画像制御部１０２から表示タイミングを取得した場合、画像制御部１０２から取得した表示タイミングに従って光源１１４を制御する。
【００２２】
液晶パネル１１２は、画像制御部１０２から取得した３Ｄ画像を表す画像データに基づいて、光源１１４から射出された光を変調する光変調装置である。なお、画像表示装置１０がプロジェクターである場合、液晶パネル１１２によって変調された３Ｄ画像を表す光は、レンズ（非図示）によって、画像表示装置１０の前面に設置されたスクリーン（非図示）に投射される。
【００２３】
タイミング制御部１０６は、外部（例えば、パーソナルコンピューター、サーバー、放送局）、又は、画像制御部１０２から表示タイミングを取得する。タイミング制御部１０６は、外部から表示タイミングを取得した場合には、外部から取得した表示タイミングを、画像制御部１０２及び同期信号生成部１０８に出力する。また、タイミング制御部１０６は、画像制御部１０２から表示タイミングを取得した場合には、画像制御部１０２から取得した表示タイミングを、同期信号生成部１０８に出力する。
【００２４】
同期信号生成部１０８は、タイミング制御部１０６から表示タイミングを取得する。同期信号生成部１０８は、タイミング制御部１０６から表示タイミングを取得した場合、タイミング制御部１０６から取得した表示タイミングに従って、３Ｄメガネ２０に送信する同期信号を生成する。
【００２５】
同期信号生成部１０８は、同期信号を生成した場合、生成した同期信号を同期信号送信部１２２に出力する。なお、同期信号送信部１２２に出力された同期信号は、３Ｄメガネ２０に送信され、シャッター部２４０の駆動タイミングを制御するシャッター駆動信号の生成に用いられる。つまり、同期信号生成部１０８は、同期信号を生成することによって、３Ｄメガネ２０のシャッター部２４０の駆動タイミングを制御する。
【００２６】
同期信号送信部１２２は、同期信号生成部１０８から同期信号を取得する。同期信号送信部１２２は、同期信号生成部１０８から同期信号を取得した場合、同期信号生成部１０８から取得した同期信号を無線通信によって３Ｄメガネ２０に送信する。なお、「無線通信」とは、伝送路として線を使わない通信である。画像表示装置１０と３Ｄメガネ２０間の無線通信として、３Ｄメガネ２０が１つの場合には赤外線通信又はブルートゥースを利用し、３Ｄメガネ２０が複数の場合にはブルートゥースを利用してもよい。
【００２７】
（３Ｄメガネ２０）
３Ｄメガネ２０は、通信部２２０、シャッター駆動部２３０、シャッター部２４０、調整情報受付部２８０及び調整情報記憶部２９０を備える。通信部２２０は、同期信号受信部２２２を有する。シャッター駆動部２３０は、信号解析部２３２、駆動信号生成部２３４及びタイミング調整部２３６を有する。シャッター部２４０は、それぞれ液晶パネルを含む左目シャッター２４０Ｌ、及び右目シャッター２４０Ｒを有する。
【００２８】
調整情報受付部２８０は、ユーザーから調整情報の入力（設定）を受け付ける。調整情報受付部２８０は、調整情報を調整情報記憶部２９０に記憶する。調整情報とは、映像の明るさとクロストークのバランスを調整するために、３Ｄ画像の表示タイミングと３Ｄメガネ２０との同期を調整するための情報である。なお、調整情報は、メガネ制御タイミング変更情報とも称する。
【００２９】
同期信号受信部２２２は、無線通信によって、画像表示装置１０から同期信号を受信する。同期信号受信部２２２は、画像表示装置１０から同期信号を受信した場合、画像表示装置１０から受信した同期信号を信号解析部２３２に出力する。
【００３０】
信号解析部２３２は、同期信号受信部２２２から同期信号を取得する。信号解析部２３２は、同期信号受信部２２２から同期信号を取得した場合、同期信号受信部２２２から取得した同期信号を解析する。具体的には、信号解析部２３２は、プロトコル記憶部（非図示）に記憶されているプロトコル情報を用いて同期信号を解析する。信号解析部２３２は、同期信号の解析結果を駆動信号生成部２３４に出力する。
【００３１】
駆動信号生成部２３４は、信号解析部２３２から同期信号の解析結果を取得する。駆動信号生成部２３４は、信号解析部２３２から同期信号の解析結果を取得した場合、信号解析部２３２から取得した同期信号の解析結果に基づいて、第１のシャッター駆動信号を生成する。駆動信号生成部２３４は、第１のシャッター駆動信号をタイミング調整部２３６に出力する。
【００３２】
タイミング調整部２３６は、駆動信号生成部２３４から第１のシャッター駆動信号を取得する。タイミング調整部２３６は、駆動信号生成部２３４から第１のシャッター駆動信号を取得した場合、駆動信号生成部２３４から取得した第１のシャッター駆動信号と、調整情報記憶部２９０に記憶されている調整情報とに従って、必要に応じて、第２のシャッター駆動信号を生成する。詳細は後述するが、簡単に説明すると、タイミング調整部２３６は、調整を要する旨の調整情報が記憶されている場合には、第２のシャッター駆動信号を生成する。例えば、タイミング調整部２３６は、遅延時間カウンタを用いて、駆動信号生成部２３４から周期的に取得する第１のシャッター駆動信号のタイミングを調整し、第２のシャッター駆動信号を生成する。一方、タイミング調整部２３６は、調整を要する旨の調整情報が記憶されていない場合には、第２のシャッター駆動信号を生成しない。
【００３３】
タイミング調整部２３６は、第２のシャッター駆動信号を生成した場合、第２のシャッター駆動信号をシャッター部２４０に出力する。タイミング調整部２３６は、第２のシャッター駆動信号を生成しなかった場合、駆動信号生成部２３４から取得した第１のシャッター駆動信号を、シャッター部２４０に出力する。
【００３４】
つまり、映像の明るさとクロストークのバランスを調整情報によって調整される前の既定（標準）のシャッター駆動信号が第１のシャッター駆動信号に相当し、映像の明るさとクロストークのバランスを調整情報によって調整された後のシャッター駆動信号が第２のシャッター駆動信号に相当する。なお、シャッター駆動信号（第１のシャッター駆動信号及び第２のシャッター駆動信号）は、左目シャッター２４０Ｌの液晶パネルの透過率、及び、右目シャッター２４０Ｒの液晶パネルの透過率を制御する信号である。
【００３５】
以上のように、シャッター駆動部２３０（信号解析部２３２、駆動信号生成部２３４、タイミング調整部２３６）は、画像表示装置１０から受信した同期信号と、調整情報とに従って、シャッター部２４０を駆動させている。
【００３６】
シャッター部２４０は、タイミング調整部２３６からシャッター駆動信号（第１のシャッター駆動信号又は第２のシャッター駆動信号）を取得する。シャッター部２４０は、タイミング調整部２３６からシャッター駆動信号を取得した場合、タイミング調整部２３６から取得したシャッター駆動信号に従って、左目シャッター２４０Ｌ、右目シャッター２４０Ｒを交互に駆動させる。つまり、シャッター部２４０の左目シャッター２４０Ｌは、シャッター駆動信号に従って、画像表示装置１０が表示する３Ｄ画像（例えば、プロジェクターが投射した３Ｄ画像、３Ｄテレビが表示する３Ｄ画像）の左目用画像を透過し、右目用画像を遮断する。一方、右目シャッター２４０Ｒは、画像表示装置１０が表示する３Ｄ画像の右目用画像を透過し、左目用画像を遮断する。これにより、３Ｄメガネ２０を通して３Ｄ画像を視た場合、ユーザーの左目と右目に交互に、左目用画像と右目用画像とが透過され、意図したように３Ｄ画像を見ることができる。
【００３７】
ここで、シャッター部２４０は、タイミング調整部２３６から第１のシャッター駆動信号を取得した場合には、映像の明るさとクロストークのバランスに関し、標準的なバランスの３Ｄ画像をユーザーに提供する。一方、シャッター部２４０は、タイミング調整部２３６から第２のシャッター駆動信号を取得した場合には、映像の明るさとクロストークのバランスに関し、標準的なバランスから調整（補正）したバランスの３Ｄ画像をユーザーに提供する。
【００３８】
図２は、本発明の第１の実施形態による調整情報に関する画面例である。３Ｄメガネ２０は、表示部（非図示）を備え、表示部に調整情報に関する画面を表示する。例えば、３Ｄメガネ２０は、図２（ａ）の画面を表示する。図２（ａ）の画面は、３Ｄメガネ２０の調整情報（設定値）を表している。
【００３９】
ユーザーは、図２（ａ）の画面において、調整情報の値（「−５０」〜「＋５０」。初期値「０」）を設定する。例えば、ユーザーは、映像の明るさとクロストークのバランスに関し、映像の明るさを優先させるときはマイナスの値を設定する。また、ユーザーは、映像の明るさとクロストークのバランスに関し、クロストークの削減を優先（以下、「画質の優先」とも称する）させるときはプラスの値を設定する。なお、図２（ａ）の三角は設定値を表している。つまり、３Ｄメガネ２０は明るさ優先（設定値「−３０」）に設定されている。なお、３Ｄメガネ２０は、図２（ａ）の画面に代えて図２（ｂ）又は図２（ｃ）の画面を表示してもよい。
【００４０】
図２（ａ）（ｃ）の画面を表示する場合、ユーザーは、３Ｄメガネ２０上のハードボタン（ＰＵＳＨスイッチ、スライドスイッチ等。非図示）を用いて設定値を変更（増減）する。図２（ｂ）の画面を表示する場合、ユーザーは、画面上に設けられた増減ボタン（プラスボタン、マイナスボタン）を用いて設定値を変更する。
【００４１】
図３は、本発明の第１の実施形態による調整情報の記憶例である。３Ｄメガネ２０の調整情報記憶部２９０は、図３（ａ）に示すように、調整情報を記憶する。なお、図３（ｂ）については後述する。
【００４２】
図４〜図６は、本発明の第１の実施形態における、調整情報とシャッター駆動信号との関係を説明する説明図である。具体的には、図４は、設定値「０」の場合に生成されるシャッター駆動信号について説明する説明図である。図５は、設定値「−３０」の場合に生成されるシャッター駆動信号について説明する説明図である。図６は、設定値「＋２０」の場合に生成されるシャッター駆動信号について説明する説明図である。
【００４３】
なお、図４〜図６において、映像信号Ｒは右目用画像、映像信号Ｌは左目用画像である。破線は、左目用画像及び右目用画像の透過時間の中心時刻である。「Ｒ＿ｏｐｅｎ」「Ｒ＿ｃｌｏｓｅ」「Ｌ＿ｏｐｅｎ」「Ｌ＿ｃｌｏｓｅ」は同期信号である。具体的には、「Ｒ＿ｏｐｅｎ」は右目シャッター２４０Ｒのオープン（透過開始）信号、「Ｒ＿ｃｌｏｓｅ」は右目シャッター２４０Ｒのクローズ（透過終了）信号、「Ｌ＿ｏｐｅｎ」は左目シャッター２４０Ｌのオープン信号、「Ｌ＿ｃｌｏｓｅ」は左目シャッター２４０Ｌのクローズ信号である。また、図４〜図６において、右目シャッター透過率は右目シャッター２４０Ｒの液晶パネルの透過率、左目シャッター透過率は左目シャッター２４０Ｌの液晶パネルの透過率である。
【００４４】
（設定値「０」の場合）
駆動信号生成部２３４は、図４に示すように、信号解析部２３２から取得した同期信号の解析結果に基づいて、第１のシャッター駆動信号（「ｒ＿ｏｐｅｎ」「ｒ＿ｃｌｏｓｅ」「ｌ＿ｏｐｅｎ」「ｌ＿ｃｌｏｓｅ」）を生成する。タイミング調整部２３６は、駆動信号生成部２３４から第１のシャッター駆動信号を取得するとともに、調整情報記憶部２９０から調整情報（設定値「０」）を読み出して、駆動信号生成部２３４から取得した第１のシャッター駆動信号の調整（補正）を要しないと解釈（判断）する。続いて、タイミング調整部２３６は、駆動信号生成部２３４から取得した第１のシャッター駆動信号をシャッター部２４０に出力する。シャッター部２４０は、上記第１のシャッター駆動信号を取得し、図４に示すように、左目シャッター２４０Ｌ、右目シャッター２４０Ｒを交互に駆動させる。
【００４５】
（設定値「−３０」の場合）
駆動信号生成部２３４は、図５に示すように、信号解析部２３２から取得した同期信号の解析結果に基づいて、第１のシャッター駆動信号（「ｒ＿ｏｐｅｎ」「ｒ＿ｃｌｏｓｅ」「ｌ＿ｏｐｅｎ」「ｌ＿ｃｌｏｓｅ」）を生成する。タイミング調整部２３６は、駆動信号生成部２３４から第１のシャッター駆動信号を取得するとともに、調整情報記憶部２９０から調整情報（設定値「−３０」）を読み出して、駆動信号生成部２３４から取得した第１のシャッター駆動信号に対する明るさ優先の調整（補正）を要すると解釈（判断）し、調整情報（設定値「−３０」）に基づいて第１のシャッター駆動信号を補正して第２のシャッター駆動信号を生成する。具体的には、タイミング調整部２３６は、図５に示すように、第１のシャッター駆動信号による左目用画像及び右目用画像の透過時間（シャッター開口時間）の中心時刻を変化させないように、設定値「−３０」に相当する時間、透過開始（「ｒ＿ｏｐｅｎ」「ｌ＿ｏｐｅｎ」）のタイミングを早くし、透過終了（「ｒ＿ｃｌｏｓｅ」「ｌ＿ｃｌｏｓｅ」）のタイミングを遅くする。中心時刻を変化させないのは、なるべく、左目用画像と右目用画像との切り替わり部分（図中の点線内）を見えないようにするためである。続いて、タイミング調整部２３６は、駆動信号生成部２３４から取得した第１のシャッター駆動信号を補正した第２のシャッター駆動信号をシャッター部２４０に出力する。シャッター部２４０は、上記第２のシャッター駆動信号を取得し、図５に示すように、左目シャッター２４０Ｌ、右目シャッター２４０Ｒを交互に駆動させる。つまり、設定値がマイナスの場合、設定値がゼロの場合に比べ、透過時間が拡大する（画像が明るくなる）。
【００４６】
（設定値「＋２０」の場合）
駆動信号生成部２３４は、図６に示すように、信号解析部２３２から取得した同期信号の解析結果に基づいて、第１のシャッター駆動信号（「ｒ＿ｏｐｅｎ」「ｒ＿ｃｌｏｓｅ」「ｌ＿ｏｐｅｎ」「ｌ＿ｃｌｏｓｅ」）を生成する。タイミング調整部２３６は、駆動信号生成部２３４から第１のシャッター駆動信号を取得するとともに、調整情報記憶部２９０から調整情報（設定値「＋２０」）を読み出して、駆動信号生成部２３４から取得した第１のシャッター駆動信号に対する画質優先の調整（補正）を要すると解釈（判断）し、調整情報（設定値「＋２０」）に基づいて第１のシャッター駆動信号を補正して第２のシャッター駆動信号を生成する。具体的には、タイミング調整部２３６は、図６に示すように、第１のシャッター駆動信号による左目用画像及び右目用画像の透過時間（シャッター開口時間）の中心時刻を変化させないように、設定値「＋２０」に相当する時間、透過開始（「ｒ＿ｏｐｅｎ」「ｌ＿ｏｐｅｎ」）のタイミングを遅くし、透過終了（「ｒ＿ｃｌｏｓｅ」「ｌ＿ｃｌｏｓｅ」）のタイミングを早くする。続いて、タイミング調整部２３６は、駆動信号生成部２３４から取得した第１のシャッター駆動信号を補正した第２のシャッター駆動信号をシャッター部２４０に出力する。シャッター部２４０は、上記第２のシャッター駆動信号を取得し、図６に示すように、左目シャッター２４０Ｌ、右目シャッター２４０Ｒを交互に駆動させる。つまり、設定値がプラスの場合、設定値がゼロの場合に比べ、透過時間が縮小する（クロストークが削減する）。
【００４７】
以下、図７を参照して、画像表示システム１の動作を説明する。図７は、本発明の第１の実施形態による３Ｄメガネ２０（シャッター装置）の動作の一例を示すフローチャートである。図７（ａ）は調整情報の取得に関する動作を示し、図７（ｂ）は調整情報による制御に関する動作を表している。
【００４８】
図７（ａ）において、調整情報受付部２８０は、ユーザーから調整情報（設定値）の入力を受け付ける（ステップＳ１０）。調整情報受付部２８０は、調整情報を調整情報記憶部１９０に記憶する（ステップＳ１２）。そして、図７（ａ）のフローチャートは終了する。
【００４９】
図７（ｂ）において、同期信号受信部２２２は、画像表示装置１０からの同期信号を受信する（ステップＳ２０）。信号解析部２３２は、プロトコル記憶部（非図示）に記憶されているプロトコル情報を用いて同期信号を解析する（ステップＳ２２）。駆動信号生成部２３４は、同期信号の解析結果に基づいて第１のシャッター駆動信号を生成する（ステップＳ２２）。タイミング調整部２３６は、駆動信号生成部２３４から第１のシャッター駆動信号を取得するとともに、調整情報記憶部２９０に記憶されている調整情報の設定値がゼロであるか否かを判断する（ステップＳ２６）。即ち、駆動信号生成部２３４から第１のシャッター駆動信号を取得したタイミング調整部２３６は、調整情報に基づいて、第１のシャッター駆動信号に対する補正の要否を判断する。
【００５０】
設定値がゼロの場合（ステップＳ２６：Ｙｅｓ）、即ち、補正を要しない場合、タイミング調整部２３６は、駆動信号生成部２３４から取得した第１のシャッター駆動信号をシャッター部２４０に出力する。即ち、タイミング調整部２３６は、第１のシャッター駆動信号に基づいてシャッター部２４０を駆動させる（ステップＳ２８）。そして、図７（ｂ）のフローチャートは終了する。
【００５１】
一方、設定値がゼロでない場合（ステップＳ２６：Ｎｏ）、即ち、補正を要する場合、タイミング調整部２３６は、調整情報に基づいて第１のシャッター駆動信号を補正して第２のシャッター駆動信号を生成する（ステップＳ３０）。続いて、タイミング調整部２３６は、生成した第２のシャッター駆動信号をシャッター部２４０に出力する。即ち、タイミング調整部２３６は、第２のシャッター駆動信号に基づいてシャッター部２４０を駆動させる（ステップＳ３２）。そして、図７（ｂ）のフローチャートは終了する。
【００５２】
（第２の実施形態）
以下、本発明の第２の実施形態について図面を参照して詳細に説明する。図８は、本発明の第２の実施形態による、３Ｄメガネ２１（シャッター装置）を含む画像表示システム２の機能ブロック図の一例である。
【００５３】
画像表示システム２は、図８に示すように、画像表示装置１１と３Ｄメガネ２１とを備える。なお、図８において１つの３Ｄメガネ２１を示したが、画像表示システム２は複数の３Ｄメガネ２１を備えていてもよい。
【００５４】
（３Ｄメガネ２１）
３Ｄメガネ２１は、通信部２５０、シャッター駆動部２３０、シャッター部２４０、調整情報受付部２８０及び調整情報記憶部２９０を備える。通信部２５０は、同期信号受信部２２２及び調整情報送信部２２４を有する。画像表示システム２の３Ｄメガネ２１は、画像表示システム１の３Ｄメガネ２０に対し、調整情報送信部２２４を付加している。調整情報送信部２２４は、調整情報受付部２８０によって受け付けられた調整情報を無線通信によって画像表示装置１０に送信する。
【００５５】
（画像表示装置１１）
画像表示装置１１は、制御部１３０、画像表示部１１０、通信部１４０及び調整情報記憶部１９０を備える。制御部１３０は、画像制御部１０２、光源制御部１０５、タイミング制御部１０６及び同期信号生成部１０８を有する。画像表示部１１０は、液晶パネル１１２及び光源１１４を有する。通信部１４０は、同期信号送信部１２２及び調整情報受信部１２４を有する。なお、画像制御部１０２、タイミング制御部１０６、同期信号生成部１０８、液晶パネル１１２、光源１１４、及び、同期信号送信部１２２は、画像表示システム１と同様である。
【００５６】
調整情報受信部１２４は、３Ｄメガネ２１から調整情報を受信する。調整情報受信部１２４は、３Ｄメガネ２１から調整情報を受信した場合、３Ｄメガネ２１から受信した調整情報を調整情報記憶部１９０に記憶する。
【００５７】
光源制御部１０５は、画像制御部１０２から表示タイミングを取得する。光源制御部１０５は、画像制御部１０２から表示タイミングを取得した場合、画像制御部１０２から取得した表示タイミングと、調整情報記憶部１９０に記憶されている調整情報とに従って、光源１１４を制御する。なお、光源制御部１０５の詳細は後述する。
【００５８】
図９は、本発明の第２の実施形態による光源１１４の制御例である。図９において、
シャッター駆動信号Ａは、ある３Ｄメガネ２１（３ＤメガネＡ）において、シャッター部２４０に送信するシャッター駆動信号（第１のシャッター駆動信号。図４参照）である。シャッター駆動信号Ｂは、ある３Ｄメガネ２１（３ＤメガネＢ）において、シャッター部２４０に送信するシャッター駆動信号（第２の同期信号。図５参照）である。シャッター駆動信号Ｃは、ある３Ｄメガネ２１（３ＤメガネＣ）において、シャッター部２４０に送信するシャッター駆動信号（第２の同期信号。図６参照）である。
【００５９】
調整情報受信部１２４は、夫々の３Ｄメガネ２１（３ＤメガネＡ、Ｂ、Ｃ）から夫々に調整情報を受信する。具体的には、調整情報受信部１２４は、３ＤメガネＡから調整情報（設定値「０」）を受信し、３ＤメガネＢから調整情報（設定値「−３０」）を受信し、３ＤメガネＣから調整情報（設定値「＋２０」）を受信する。従って、調整情報記憶部１９０には、３ＤメガネＡの調整情報（設定値「０」）、３ＤメガネＢの調整情報（設定値「−３０」）、及び、３ＤメガネＣの調整情報（設定値「＋２０」）が記憶される。
【００６０】
光源制御部１０５は、画像制御部１０２から表示タイミングを取得した場合、画像制御部１０２から取得した表示タイミングと、調整情報記憶部１９０に記憶されている夫々の調整情報のうち左目用画像及び右目用画像の透過時間を最大に調整する調整情報とに従って、光源１１４を制御する。
【００６１】
３ＤメガネＡの調整情報（設定値「０」）、３ＤメガネＢの調整情報（設定値「−３０」）、及び、３ＤメガネＣの調整情報（設定値「＋２０」）のうち、透過時間を最大に調整する調整情報は、３ＤメガネＢの調整情報である（図９参照）。従って、光源制御部１０５は、画像制御部１０２から取得した表示タイミングと、調整情報記憶部１９０に記憶されている３ＤメガネＢの調整情報（設定値「−３０」）とに従って、図９に示すように、光源１１４を制御する。より詳細には、光源制御部１０５は、図中の一点鎖線にて示したように、少なくとも同期信号Ｂによる透過時間において、光源１１４が発光するように、光源１１４を制御する。つまり、光源制御部１０５は、３ＤメガネＡ、３ＤメガネＢ、３ＤメガネＣのうち、最も明るい画像を表示する３ＤメガネＢに合わせて、光源１１４を制御する。
【００６２】
以上、第１、第２の実施形態を説明したが、第１、第２の実施形態に記載の３Ｄメガネ２０（２１）は、調整情報に応じたシャッター駆動信号を生成し、シャッター部２４０を駆動するため、３Ｄメガネ２０（２１）によれば、ユーザーは、適宜、調整情報を入力し、駆動タイミング（透過時間）を調整し、自身の感覚にあった明るさとクロストークのバランスにおいて３Ｄ画像を視聴することができるようになる。例えば、クロストークが強くなるが明るさをあげたい場合は、図５に示すように、調整情報の設定値をマイナスの値にすればよい。逆に、明るさを犠牲にしてクロストークを弱くしたい場合は、図６に示すように、調整情報の設定値をプラスの値にすればよい。
【００６３】
また、３Ｄメガネ２１が調整情報を画像表示装置１１に送信し、画像表示装置１1が調整情報に応じて光源１１４を制御するため、駆動タイミング（透過時間）の調整後においても、最適な光源発光期間による３Ｄ画像を視認することができる。具体的には、図９に示すように、透過時間が最も長い３Ｄメガネに合わせて、発光時間の長さを調整している。従って、必要な光を確保しつつ、節電することができる。
【００６４】
なお、上記実施形態では、シャッター駆動部２３０は、同期信号受信部２２２によって受信された同期信号から得られる駆動タイミングを調整情報に基づいて補正し、補正後の駆動タイミングに従ってシャッター部２４０を駆動させる態様として、同期信号の解析結果から得られるシャッター駆動信号（第１のシャッター駆動信号）を調整情報に基づいて補正し、補正後のシャッター駆動信号（第２のシャッター駆動信号）をシャッター部２４０に出力する態様を説明したが、シャッター駆動部２３０は、同期信号の解析結果（第１の解析結果）を調整情報に基づいて補正し、補正後の解析結果（第２の解析結果）から得られるシャッター駆動信号をシャッター部２４０に出力してもよい。
つまり、シャッター駆動部２４０は、同期信号の解析結果から第１のシャッター駆動信号を生成し、調整情報に基づいて第１のシャッター駆動信号を補正して第２のシャッター駆動信号を生成してもよいし、同期信号の解析結果（第１の解析結果）を調整情報に基づいて補正し、補正後の同期信号の解析結果（第２の解析結果）からシャッター駆動信号を生成してもよい。
【００６５】
また、上記実施形態では、同期信号として「Ｒ＿ｏｐｅｎ」「Ｒ＿ｃｌｏｓｅ」「Ｌ＿ｏｐｅｎ」「Ｌ＿ｃｌｏｓｅ」を使用したが、使用する同期信号はこれに限定されない。例えば、上記に加えて更に、右目シャッター２４０Ｒのオープンと左目シャッター２４０Ｒのクローズとを同時に制御する「Ｒ＿ｏｐｅｎ＆Ｌ＿ｃｌｏｓｅ」、左目シャッター２４０Ｌのオープンと右目シャッター２４０Ｒのクローズとを同時に制御する「Ｌ＿ｏｐｅｎ＆Ｒ＿ｃｌｏｓｅ」を使用してもよい。
【００６６】
また、上記実施形態では、調整情報の設定方法として、−５０（最小値）〜＋５０（最大値）の範囲を細かなステップ（例えば、ピッチ１）にて設定する方法を示したが、調整情報の設定方法はこれに限定されない。例えば、「明るさ優先モード」「標準モード」「画質優先モード」の３段階のモードを設けるようにしてもよい。
【００６７】
また、上記実施形態では、光変調装置として透過型の液晶パネルを用いた例を説明したが、光変調装置は透過型の液晶パネルに限定されない。例えば、光変調装置としてデジタル・マイクロミラー・デバイス（ＤＭＤ：Ｄｉｇｉｔａｌ  Ｍｉｃｒｏ−Ｍｉｒｒｏｒ  Ｄｅｖｉｃｅ）や、反射型の液晶パネル等を用いて、光源からの光を変調する構成にしてもよい。また、小型ＣＲＴ（陰極線管）上の映像を被投写面に投写するＣＲＴプロジェクターでもよい。
【００６８】
また、上記実施形態では、画像表示装置１０、１１は透過型の表示デバイス（液晶パネル）を備えたが、自発光型の表示デバイス（プラズマディスプレイパネル、有機ＥＬパネル）を備えてもよい。
【００６９】
なお、本発明の各実施形態による３Ｄメガネ２０（２１）の処理を実行するためのプログラムをコンピューター読み取り可能な記録媒体に記録して、当該記録媒体に記録されたプログラムをコンピューターシステムに読み込ませ、実行することにより、３Ｄメガネ２０（２１）の処理を実現させてもよい。なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【００７０】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Dynamic Random Access Memory））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【００７１】
以上、この発明の実施形態について詳述してきたが、具体的な構成はこの実施形態に限られるものではなく、この発明の要旨を逸脱しない範囲の設計等も含まれる。
【符号の説明】
【００７２】
１、２…画像表示システム  １０、１１…画像表示装置  ２０、２１…３Ｄメガネ  １００、１３０…制御部  １０２…画像制御部  １０４、１０５…光源制御部  １０６…タイミング制御部  １０８…同期信号生成部  １１０…画像表示部  １１２…液晶パネル  １１４…光源  １２０、１４０…通信部  １２２…同期信号送信部  １２４…調整情報受信部  １９０…調整情報記憶部  ２２０、２５０…通信部  ２２２…同期信号受信部  ２２４…調整情報送信部  ２３０…シャッター駆動部  ２３２…信号解析部  ２３４…駆動信号生成部  ２３６…タイミング調整部  ２４０…シャッター部  ２４０Ｌ…左目シャッター  ２４０Ｒ…右目シャッター  ２８０…調整情報受付部  ２９０…調整情報記憶部  
【図１】
2013214918.tif 000003
【図２】
2013214918.tif 000004
【図３】
2013214918.tif 000005
【図４】
2013214918.tif 000006
【図５】
2013214918.tif 000007
【図６】
2013214918.tif 000008
【図７】
2013214918.tif 000009
【図８】
2013214918.tif 000010
【図９】
2013214918.tif 000011